(57)【要約】【課題】紐状体の一端部を挟持している挟持部の開放を確実に防止して挟持状態を維持することができる紐状体のための挟持具を提供すること。【解決手段】一対の挟持片１１，１２の開閉により紐状体２０の一端部２０ａを開放または挟持する紐状体２０のための挟持具１０であって、前記一対の挟持片１１，１２による挟持状態を保持する保持部材２が両挟持片１１，１２の外面に対し装脱自在に設けられている。【選択図】図６
2007282895.tif 000002
【特許請求の範囲】
【請求項１】
少なくとも２つの挟持片の開閉により紐状体の一端部を開放または挟持する紐状体のための挟持具であって、前記２つの挟持片による挟持状態を保持する保持部材が両挟持片の外面に対し装脱自在に設けられていることを特徴とする紐状体のための挟持具。
【請求項２】
前記保持部材は挟持状態の両挟持片の外周面を囲繞する中空のケース体で構成されている請求項１に記載の紐状体のための挟持具。
【請求項３】
前記ケース体は挟持状態の両挟持片に対して摺動自在に装脱できる請求項２に記載の紐状体のための挟持具。
【請求項４】
前記ケース体と少なくとも一つの挟持片とで、ガイド溝と該ガイド溝と摺動嵌合する凸部から成る摺動部が形成されている請求項３に記載の紐状体のための挟持具。
【請求項５】
前記ケース体を両挟持片に装着した状態において、外力により嵌め外し可能な凹凸嵌合により、ケース体を両挟持片に嵌合固定した請求項２乃至４のいずれかに記載の紐状体のための挟持具。
【発明の詳細な説明】
【技術分野】
【０００１】
本発明は、少なくとも２つの挟持片の開閉により紐状体の一端部を開放または挟持する紐状体のための挟持具に関する。
【背景技術】
【０００２】
従来の紐状体のための挟持具として、ベース体（一方の挟持片）とこのベース体にヒンジ連結した挟持体（他方の挟持片）とを有し、ベース体と挟持体とを開放することによりテープ状ストラップ（紐状体）を挿入し、挟持体をヒンジによりベース体に向けて折り曲げることでストラップの一端部を挟持できるようにしたものが既に公知である。（例えば、特許文献１参照）このときベース体と挟持体のそれぞれの内面に設けた三角錐状突出片がテープ状ストラップに食い込み、テープ状ストラップの離脱が防げると共に、挟持体に形成した係合爪がベース体に形成した切り欠き段部に係合して、挟持体の開放が防止されている。
【０００３】
【特許文献１】特開２００４−４２９２１号公報（図１，２）
【発明の開示】
【発明が解決しようとする課題】
【０００４】
しかしながら特許文献１に記載の挟持具にあっては、挟持体の開放防止は挟持体に形成した係合爪とベース体に形成した切り欠き段部との係合であるため、係合爪に不用意に外力が作用したり、テープ状ストラップがその長手方向に対してな直交する方向に引っぱり力が作用すると、挟持体が開放する虞があった。
【０００５】
本発明は、このような問題点に着目してなされたもので、紐状体の一端部を挟持している挟持部の開放を確実に防止して挟持状態を維持することができる紐状体のための挟持具を提供することを目的とする。
【課題を解決するための手段】
【０００６】
上記課題を解決するために、本発明の請求項１に記載の紐状体のための挟持具は、少なくとも２つの挟持片の開閉により紐状体の一端部を開放または挟持する紐状体のための挟持具であって、前記２つの挟持片による挟持状態を保持する保持部材が両挟持片の外面に対し装脱自在に設けられていることを特徴としている。
この特徴によれば、保持部材を両挟持片の外面に対し装着することにより、たとえ紐状体に外力が作用して両挟持片を開こうとしても、保持部材により確実に挟持状態を維持することができる。
【０００７】
本発明の請求項２に記載の紐状体のための挟持具は、請求項１に記載の紐状体のための挟持具であって、前記保持部材は挟持状態の両挟持片の外周面を囲繞する中空のケース体で構成されていることを特徴としている。
この特徴によれば、両挟持片を中空のケース体で囲繞できるので、両挟持片の外表面を覆い隠して見栄え良く、かつ手触りの良いものに仕上げることが可能である。
【０００８】
本発明の請求項３に記載の紐状体のための挟持具は、請求項２に記載の紐状体のための挟持具であって、前記ケース体は挟持状態の両挟持片に対して摺動自在に装脱できることを特徴としている。
この特徴によれば、ケース体を摺動させるだけで、保持部材の装脱が容易にできる。
【０００９】
本発明の請求項４に記載の紐状体のための挟持具は、請求項３に記載の紐状体のための挟持具であって、前記ケース体と少なくとも一つの挟持片とで、ガイド溝と該ガイド溝と摺動嵌合する凸部から成る摺動部が形成されていることを特徴としている。
この特徴によれば、ガイド溝とこれに摺動嵌合する凸部とから成る摺動部により、ケース体の装脱を安定した摺動動作で行うことができる。
【００１０】
本発明の請求項５に記載の紐状体のための挟持具は、請求項２乃至４のいずれかに記載の紐状体のための挟持具であって、前記ケース体を両挟持片に装着した状態において、外力により嵌め外し可能な凹凸嵌合により、ケース体を両挟持片に嵌合固定したことを特徴としている。
この特徴によれば、ケース体を両挟持片に装着した場合に、ケース体が両挟持部材から安易に離脱することがない。特に請求項４に記載の発明を引用する発明において、両方の挟持片に凸部を設けることにより、該凸部を摺動部の構成と嵌合固定のための構成とを兼用することができる。
【発明を実施するための最良の形態】
【００１１】
本発明の実施例を以下に説明する。
【実施例】
【００１２】
図１は、本発明の実施例における紐状体のための挟持具の使用例を示す斜視図であり、図２は、挟持具本体に取り付けられたクリップの開閉操作を示す側面図であり、図３は、挟持具本体からケース体を開放した状態を示す斜視図であり、図４は、２つの挟持片によって紐状体を係止した状態を示す斜視図であり、図５（ａ）は、図３のＡ−Ａ線で切断しケース体の断面図であり、図５（ｂ）は、図３のＢ−Ｂ線から見たケース体の側面図であり、図６（ａ）は、ケース体を挟持具本体に取り付ける前の状態を示す側断面図であり、図６（ｂ）は、ケース体を挟持具本体に取り付けた状態を示す側断面図である。
【００１３】
図１に示されるように挟持具本体１０は、利用者の首や手首等に吊り下げ可能な紐状体としての扁平な紐状のストラップ２０に名札・入場許可書・ＩＤカード等の表示板２２を挿し入れ可能な表示ケース２１や携帯電話等の携帯端末やキャラクター等の被吊体を取り付けるために利用される挟持具本体１０である。以下、本実施例の説明において、図１に図示された挟持具本体１０を対面した状態で見て、クリップ１５側を前方とし、ストラップ２０側を後方とし、挟持具本体１０の手前正面側を上方とし、その背面側を下方として説明する。
【００１４】
挟持具本体１０の後方のストラップ２０取り付け側には、保持部材として構成したケース体２が装脱可能に装着され、取り外し時にケース体２をストラップ２０側に移動させることができる。図２に示されるように、挟持具本体１０の前方の２股状に形成された支持部１３には、クリップ１５が可動可能に軸着され、クリップ１５の先端部に表示ケース２１が取り付けられている。そしてケース体２，挟持具本体１０，クリップ１５は、プラスチック等の合成樹脂材で成形されている。
【００１５】
挟持具本体１０は前方に延設された支持部１３を有する一方の挟持片１１と、この挟持片１１に対して開閉可能な他方の挟持片１２で構成され、この２つの挟持片１１，１２とでストラップ２０の一端部を挟持することができる。クリップ１５は２つのクリップ片１５ａ，１５ｂと略Ｕ字形のバネ１５ｃから構成されている。
【００１６】
支持部１３内には、断面略五角形のカム軸１３ａが差し渡され、このカム軸１３ａを挟み込むようにクリップ片１５ａ，１５ｂをそれぞれ交差して組み合わせ、クリップ片１５ａ，１５ｂの後端部をバネ１５ｃで挟み込むことでカム軸１３ａに軸支され、クリップ片１５ａ，１５ｂの先端部を接離可能なクリップ１５が構成されている。
【００１７】
クリップ１５の開閉操作について簡便に説明すると、カム軸１３ａを中心にクリップ１５を９０度または対向方向に９０度回転させる（図３の一点鎖線で示した状態）ことで、カム軸１３ａからクリップ片１５ａ，１５ｂの中間部が外れて両者の対向間隔が狭まるとともにバネ１５ｃの付勢力が弱まり、互いのクリップ片１５ａ，１５ｂの先端部の接合が解除され、クリップ１５内に表示ケース２１を取り付け可能な状態となる。
【００１８】
次いで、クリップ１５を９０度回転させて、クリップ１５を図３の実線で示す状態に戻すと、カム軸１３ａによってクリップ片１５ａ，１５ｂの中間部の対向間隔が押し拡げられてバネ１５ｃの付勢力に抗して拡径され、互いのクリップ片１５ａ，１５ｂの先端部が接合して、表示ケース２１が挟み込まれ、取り外れが防止される。
【００１９】
図３によりストラップ２０の一端部２０ａを挟持する２つの挟持片１１，１２から成る挟持具本体１０について具体的に説明する。一方の挟持片１１には、他方の挟持片１２と対向する内側面に三角錐状の突出片１１ｂがそれぞれ離間して５箇所に突設され、両側部の前方位置に軸孔１１ｄ，１１ｄが形成され、後方位置に係止孔１１ｃ、１１ｃが形成されている。挟持本体１１の後端部の中間位置には外方に向けて凸部１１ａが形成されている。
【００２０】
他方の挟持片１２には、挟持片１１と対向する内側面に三角錐状の突出片１２ｂがそれぞれ離間して３箇所に突設され、前述した軸孔１１ｄ，１１ｄ内に回動可能に軸支される軸杆１２ｄが設けられ、挟持片１２を挟持片１１から外方に向けて開放及び内方に向けて閉鎖可能になっている。また、軸杆１２ｄ近傍にはストラップ２０の一端部２０ａを挿通可能な貫通孔１２ｅが形成されている。更に挟持片１２の後方位置には、挟持片１１の係止孔１１ｃ，１１ｃに係合可能な係止爪１２ｃ，１２ｃが形成されていると共に、後端部の中間位置には凸部１１ａと同型の凸部１２ａが外方に向けて形成されている。
【００２１】
次にケース体２について図５（ａ）および図５（ｂ）を用いて説明する。ケース体２には、前後方向に向けて２つの挟持片１１，１２を収納可能な中空の空間を有する挿入孔３が形成され、後端部に挿入孔３の一部を閉塞する閉塞部４が設けられている。
【００２２】
閉塞部４にはストラップ２０を挿通可能な矩形幅の開口４ａが形成され、この開口４ａの中間部には前述した凸部１１ａおよび凸部１２ａと係合可能な凹部４ｂ，４ｂが一対で形成されている。ケース体２の内周面の長手幅方向中央位置には前後方向に向けて、凸部１１ａおよび凸部１２ａを摺接可能なガイド溝３ａ，３ａが形成されている。
【００２３】
ストラップ２０の一端部２０ａを挟持具本体１０に取り付けるには、図３、図６（ａ）に示されるように、ケース体２の開口４ａから挿入孔３を介してストラップ２０の一端部２０ａを挿通し、更に挟持片１１の前方側から軸杆１２ｄに掛け渡されたのち、貫通孔１２ｅを介して挟持片１２側の後方に向けて引き出されると一端部２０ａが折り返される。この折り返された状態で挟持片１２がストラップ２０の長手方向に直交する軸杆１２ｄを軸中心にして上方から下方の挟持片１１に向けて回動されていくと、挟持片１１および挟持片１２の突出片１１ｂ，１２ｂが互いに噛み合うようにして一端部２０ａが挟持される。
【００２４】
そして、図４に示されるように係止爪１２ｃ，１２ｃが係止孔１１ｃ，１１ｃに係合されることで、挟持片１１と挟持片１２が閉塞され開放不能となるが、係止爪１２ｃ，１２ｃを外方から内側に向けて操作し、係止孔１１ｃ，１１ｃからの係合を解除すると簡便に挟持片１１から挟持片１２の開放を行える。
【００２５】
図６（ａ）に示されるように、挟持片１２を挟持片１１に閉塞した状態においては、突出片１１ｂ，１２ｂの噛み合いによってストラップの一端部２０ａが押圧挟持され、ストラップ２０が後方に強く引っ張られた際にも、突出片１１ｂ，１２ｂによって一端部２０ａの取り外れが防止されている。また一端部２０ａが折り返されることで、突出片１１ｂ，１２ｂがストラップの折り返し片の２カ所での掛止でき、強固に挟持することができる。尚、ストラップの厚みが大きい場合には、軸杆１２ｄにストラップの一端部２０ａを掛け渡すことなく、挟持片１１と挟持片１２で挟み込むだけでよく、ストラップの厚みに応じて適宜対応可能な構成になっている。
【００２６】
このようにしてストラップ２０の一端部２０ａを挟持状態にした後、ケース体２をストラップ２０に沿って前方に向けて移動させ、ケース体２の上下のガイド溝３ａ，３ａを挟持片１２および挟持片１１の凸部１２ａ，１１ａと嵌合して前方に摺動させれば、ケース体２が、両挟持片１１，１２の外周部を囲繞することになる。そこで、さらにガイド溝３ａ，３ａに沿って凸部１２ａ，１１ａを摺接させながらケース体２を前方に向けて案内する。このように、ガイド溝３ａ，３ａと凸部１２ａ，１１ａからなる摺動部によって両挟持片１１，１２がケース体２の前方から後方に向けて円滑に摺動される。
【００２７】
このケース体２の装着過程では、凸部１２ａ，１１ａがガイド溝３ａ，３ａに摺接されながら、装着過程後半で内側に撓んだ状態となるが、ケース体２の前方への移動過程が終了すると、図６（ｂ）に示されるように、凸部１２ａ，１１ａがガイド溝３ａ，３ａに沿って凹部４ｂ，４ｂに抜け出る位置まで摺動案内され、凸部１２ａ，１１ａの撓みが解除されとともに凹部４ｂ，４ｂに係合されて、ケース体２の後方への移動が規制され、両挟持片１１、１２は取り外れ不能に装着維持される。
【００２８】
このように、ケース体２が両挟持片１１，１２に装着されることで、たとえストラップ２０がその長手方向に対して直交する方向に向けて強く引っ張られたとしても、ケース体２によって両挟持片１１，１２の開放が確実に規制されることから、ストラップ２０の取り外れが強固に防止される。そして、両挟持片１１，１２が中空のケース体２で囲繞されるので、両挟持片１１，１２の外表面が覆い隠されて見栄え良く、本実施例のようにケース体２の外表面を凹凸のない滑らかな面とすることで、手触りの良いものに仕上げることが可能である。
【００２９】
ケース体２を両挟持片１１，１２から離脱させるには、各挟持片１１，１２の凸部１１ａ，１２ａを近接させて凹部４ｂ，４ｂから待避させて、ケース体２をストラップ２０側に摺動すれば、ケース体２は挟持具本体１０から抜き出すことができる。
【００３０】
以上、本発明の実施例を図面により説明してきたが、具体的な構成はこれら実施例に限られるものではなく、本発明の要旨を逸脱しない範囲における変更や追加があっても本発明に含まれ、例えば上記実施例では、両挟持片１１，１２はストラップの長手方向に直交する軸杆１２ｄ廻りに回動するように構成したもので説明したが、従来例として示した前記特許文献１に示すような、ストラップの長手方向に平行な軸廻りに回動するタイプの挟持片であっても良い。
【００３１】
また、本実施例ではストラップ２０は扁平な紐状のものを使用して説明したが、扁平でなく厚みのある紐であっても良い。
【００３２】
また、上記実施例では、ケース体２の上下にガイド溝３ａ，３ａを設け、両挟持片１１，１２の各凸部１１ａ、１２ａと摺動嵌合させているが、ガイド溝もそれに摺動嵌合する凸部を上下でなく、下或いは上或いは側部に一カ所だけ設けるようにしても良い。また、本発明においては、特に図示しないがガイド溝を挟持片に形成し、該ガイド溝と摺動嵌合する凸部をケース体側に設けるようにしても良い。つまり、ケース体と少なくとも一つの挟持片とで、ガイド溝と該ガイド溝と摺動嵌合する凸部から成る摺動部が形成されていればよい。
【００３３】
また、上記実施例では、挟持具本体１０の前端にクリップ１５を取り付けた例で説明したが、吊り下げ可能なリング体であっても良く、挟持具の使用目的に応じて各種の取り付けが備えられる。
【００３４】
また、上記実施例では、２つの挟持片１１，１２により確実にストラップの一端部２０ａが挟持されることから好ましいが、本発明はこれに限定されるものではなく、挟持片１１，１２を一組として、特に図示しないが、さらに新たな一組の挟持片を組み合わせることで、この２組の挟持片１１，１２で一端部２０ａを各々挟持可能な構成にしても良く、少なくともストラップの一端部２０ａが２つの挟持片で挟持可能な構成であれば、種々のストラップの一端部の形状や厚みに合わせて、各挟持片の数や形状および組み合わせを適宜変更してもよい。
【００３５】
また、上記実施例では、挟持具本体１０をストラップ２０の一端部２０ａに取り付けたことにより、表示ケース２１等の被吊持体を吊持できることから好ましいが、本発明はこれに限定されるものではなく、例えば、特に図示しないがストラップ２０の両端部に各々挟持具本体を取り付け、互いの挟持具本体を着脱可能に連結してストラップを環状にできる従来公知のバックルタイプにも利用することができる。
【００３６】
また、上記実施例では、他方の挟持片１２を一方の挟持片１１に対して軸杆１２ｄを中心に回動することで、ストラップ２０の一端部２０ａを挟持可能な構成になっているが、本発明はこれに限定されるものではなく、一方の挟持片に対して分離できる他方の挟持片を用いて、ストラップ２０の一端部２０ａを両挟持片で挟持しても良い。
【図面の簡単な説明】
【００３７】
【図１】本発明の実施例における紐状体のための挟持具の使用例を示す斜視図である。
【図２】挟持具本体に取り付けられたクリップの開閉操作を示す側面図である。
【図３】挟持具本体からケース体を開放した状態を示す斜視図である。
【図４】２つの挟持片によって紐状体を係止した状態を示す斜視図である。
【図５】（ａ）は、図３のＡ−Ａ線で切断しケース体の断面図であり、（ｂ）は、図３のＢ−Ｂ線から見たケース体の側面図である。
【図６】（ａ）は、ケース体を挟持具本体に取り付ける前の状態を示す側断面図であり、（ｂ）は、ケース体を挟持具本体に取り付けた状態を示す側断面図である。
【符号の説明】
【００３８】
２                ケース体（保持部材）
３                挿入孔
３ａ              ガイド溝
４                閉塞部
４ａ              開口
４ｂ              凹部
１０              挟持具本体
１１              一方の挟持片
１１ａ            凸部
１１ｂ            突出片
１１ｃ            係止孔
１１ｄ            軸孔
１２              他方の挟持片
１２ａ            凸部
１２ｂ            突出片
１２ｃ            係止爪
１２ｄ            軸杆
１２ｅ            貫通孔
１３              支持部
１３ａ            カム軸
１５              クリップ
１５ａ、１５ｂ    クリップ片
１５ｃ            略Ｕ字形のバネ
２０              ストラップ（紐状体）
２０ａ            ストラップの一端部
２１              表示ケース
２２              名札・入場許可書・ＩＤカード等の表示板
【図１】
2007282895.tif 000003
【図２】
2007282895.tif 000004
【図３】
2007282895.tif 000005
【図４】
2007282895.tif 000006
【図５】
2007282895.tif 000007
【図６】
2007282895.tif 000008